(57)【要約】【課題】本発明では、店舗における釣り銭確保の負担を軽減する現金自動預払システムを提供する。【解決手段】操作メニューが表示されると共に、該操作メニューへの操作が入力されるタッチパネル部と、現金を入金する入金部と、紙幣を収納する第１の収納部と、硬貨を収納する第２の収納部と、前記タッチパネル部への入力内容に応じた制御を行う第１の制御部と、第１の通信部と、を有する自動現金預払機と、前記第１の通信部と通信を行う第２の通信部と、包装硬貨または集合紙幣のうち少なくともいずれか一方を収納する第３の収納部と、前記第３の収納部をロックするロック部と、前記操作メニューにおいて両替モードが選択されて前記入金部に紙幣が所定の金額分入金された場合、前記第２の通信部を介して前記第１の制御部からの指示に応じて、前記ロック部を開錠する第２の制御部と、を有する収納装置と、を備える現金自動預払システムにより、上記課題の解決を図る。【選択図】図１
2012168658.tif 000002
【特許請求の範囲】
【請求項１】
操作メニューが表示されると共に、該操作メニューへの操作が入力されるタッチパネル部と、
現金を入金する入金部と、
紙幣を収納する第１の収納部と、
硬貨を収納する第２の収納部と、
前記タッチパネル部への入力内容に応じた制御を行う第１の制御部と、
第１の通信部と、
を有する自動現金預払機と、
前記第１の通信部と通信を行う第２の通信部と、
包装硬貨または集合紙幣のうち少なくともいずれか一方を収納する第３の収納部と、
前記第３の収納部をロックするロック部と、
前記操作メニューにおいて両替モードが選択されて前記入金部に紙幣が所定の金額分入金された場合、前記第２の通信部を介して前記第１の制御部からの指示に応じて、前記ロック部を開錠する第２の制御部と、
を有する収納装置と、
を備える現金自動預払システム。
【請求項２】
前記第３の収納部は、複数の収納庫を有し、
前記収納庫には、前記包装硬貨または集合紙幣が収納される収納部材が収納される、
ことを特徴とする請求項１に記載の現金自動預払システム。
【請求項３】
前記収納部材には、該収納部材を識別する情報である収納部材識別情報と、該収納部材に収納される包装硬貨の有高を示す収納部材有高情報とを含む、読み取り装置による読み取り可能情報が付与されている
ことを特徴とする請求項２に記載の現金自動預払システム。
【請求項４】
前記読み取り可能情報は、情報記憶媒体に記録されている
ことを特徴とする請求項３に記載の現金自動預払システム。
【請求項５】
前記収納庫には、識別するための収納庫識別情報が付与されており、
前記収納装置は、さらに、
前記読み取り可能情報を読み取る読み取り装置を備え、
前記第１の制御部は、前記読み取り装置により読み取られた、前記収納庫に収納された前記収納部材に付与された前記読み取り可能情報と、該収納庫の収納庫識別情報とが関係付けられた読み取り可能−収納庫識別関係情報を生成し、前記操作メニューにおいて両替モードが選択された場合、該読み取り可能−収納庫識別関係情報から、前記包装硬貨の有高に応じた選択項目を有する両替画面を生成し、前記タッチパネル部に表示させる
ことを特徴とする請求項４に記載の現金自動預払システム。
【請求項６】
前記収納庫には、前記紙幣が収納される紙幣カセットまたはリジェクト紙幣が収納される紙幣リジェクトカセットが収納される
ことを特徴とする請求項２に記載の現金自動預払システム。
【請求項７】
前記自動現金預払機は、さらに、
外部の情報処理装置に、前記収納部材の回収または装填、または前記紙幣カセットもしくは前記紙幣リジェクトカセットの回収、装填、または交換において、前記収納部材または前記紙幣カセットもしくは前記紙幣リジェクトカセットの有高情報を外部の情報処理装置へ送信する第３の通信部
を備えることを特徴とする請求項２〜６のうちいずれか１項に記載の現金自動預払システム。
【請求項８】
前記現金自動預払システムは、さらに、
前記外部の情報処理装置を備え、
前記外部の情報処理装置は、前記第３の通信部から受信した前記有高情報に基づいて、警送会社または警備会社に前記収納部材または前記紙幣カセットもしくは前記紙幣リジェクトカセットの回収または交換する旨を通報する
ことを特徴とする請求項７に記載の現金自動預払システム。
【請求項９】
操作メニューが表示されると共に、該操作メニューへの操作が入力されるタッチパネル部と、
現金を入金する入金部と、
紙幣を収納する第１の収納部と、
硬貨を収納する第２の収納部と、
前記タッチパネル部への入力内容に応じた制御を行う第１の制御部と、
第１の通信部と、
を有する自動現金預払機と、
前記第１の通信部と通信を行う第２の通信部と、
包装硬貨または集合紙幣のうち少なくともいずれか一方を収納する第３の収納部と、
前記第３の収納部をロックするロック部と、
第２の制御部と、
を有する収納装置と、
を供える現金自動預払システムの制御方法であって、
前記操作メニューにおいて両替モードが選択されて前記入金部に紙幣が所定の金額分入金された場合、前記第２の通信部を介して前記第１の制御部からの指示に応じて、前記ロック部を開錠する
ことを特徴とする現金自動預払システムの制御方法。
【請求項１０】
操作メニューが表示されると共に、該操作メニューへの操作が入力されるタッチパネル部と、
現金を入金する入金部と、
包装硬貨または集合紙幣のうち少なくともいずれか一方を収納する収納部と、
前記収納部をロックするロック部と、
前記操作メニューにおいて両替モードが選択されて前記入金部に紙幣が所定の金額分入金された場合、前記ロック部を開錠する制御部と、
を有することを特徴とする収納装置。
【発明の詳細な説明】
【技術分野】
【０００１】
本発明は、現金自動預払機能を有するシステムに関する。
【背景技術】
【０００２】
近年、金融機関の店舗以外の、他業種の店舗、例えば、コンビニエンスストア等の小売業者の店舗への現金自動預払機（Ａｕｔｏｍａｔｅｄ  Ｔｅｌｌｅｒ  Ｍａｃｈｉｎｅ。以下、「ＡＴＭ」という）の設置が普及している。これにより、利用者は、いつでもＡＴＭを利用することができるようになってきた。
【０００３】
小規模店舗等の小売業では、日常、釣り銭の準備等が必要であり、営業時間の制約のないコンビニエンスストアでの釣り銭準備や両替のサービスが求められている。そこで、第１の技術として、ＡＴＭに大容量の硬貨入出金機を接続し、現金の出金の予約受付手段により、必要な日に確実に釣り銭準備や両替ができるようし、現金の出金の予約受付手段で入手した情報を基に、硬貨が不足する虞のあるときは、通常の出金取引を停止するか又はセンタシステム３５へ硬貨補充の要請を行う技術がある。
【０００４】
また、第２の技術として、銀行などの金融店舗ロビーに設置されて顧客自らの操作によって貨幣の入金処理をする貨幣入金機および両替処理をする貨幣両替機を備える貨幣取引システムが開示されている。貨幣入金機と貨幣両替機とは、それぞれの有する通信手段で通信可能に接続されて構成されている。また、貨幣両替機の内部には、包装硬貨取引口を通じて両替する硬貨を受け付ける受付処理および両替される包装硬貨の払出処理をする包装硬貨処理部がある。
【０００５】
また、第３の技術として、使用者の使用態様（例えば使用店舗での使用態様）に応じて棒金ドロアの数を任意に適宜調整することができる棒金管理装置がある。当該棒金管理装置の筐体内には、棒金ドロアを筐体に対してロックするためのロック部が設けられている。棒金ドロアのロックが解除され、棒金ドロアが引き出された後、棒金ドロアが押し込まれて閉じられるときに、棒金ドロアから取り出された棒金の金種別本数が判別され、棒金ドロアから取り出された棒金の金種別本数が対象となっている棒金ドロアから出金すべき棒金の金種別本数に合致した場合にのみ、ロック部によって棒金ドロアを筐体に対してロックさせるように構成されている。
【０００６】
また、第４の技術として、棒金の取引に関連する情報を表示する表示部と、棒金を出金するときに、棒金出金口内で左右に分けて出金される棒金の本数を左側の本数と右側の本数に分けて計数して、その計数結果を該表示部に表示する制御を行う制御部と、左側に出金される棒金の本数を利用者が確認したときに押下される左ボタンと、右側に出金される棒金の本数を利用者が確認したときに押下される右ボタンとを有し、制御部は、左ボタンと右ボタンの両方が押下されることを検知して、棒金シャッタ部を開くように制御する棒金払出装置がある。
【０００７】
ところで、店舗等の売上金等の回収には、店舗の従業員による運搬や警備会社等による運搬が行われているが、現金を安全に保管及び運搬することが困難であった。そこで、第５の技術として、店舗の売上金の管理を店舗側に設けた入金装置へ投入するだけで、現金集配業務を行うセンターで入金データを得ることができると共に、入金機の現金を店舗側で扱うことなく店舗側の銀行へ振り込むことができる集配警備現金管理システムがある。
【先行技術文献】
【特許文献】
【０００８】
【特許文献１】特開２０１０−８６０１６号公報
【特許文献２】特開２００２−３３４３６７号公報
【特許文献３】特開２０１０−２８２２９０号公報
【特許文献４】特開２０１０−１６５１６３号公報
【特許文献５】特許第３５４２０５１号
【発明の概要】
【発明が解決しようとする課題】
【０００９】
しかしながら、第１の技術では、硬貨を出金する際に、該当の金種別収納庫から繰出機構により硬貨を１枚ごとに分離して出金搬送路に繰り出してはいるものの、包装硬貨についての両替には対応できなかった。
【００１０】
また、第２の技術では、包装硬貨処理部による包装硬貨の払出処理については、具体的に記載されていない。
また、第３の技術では、当該棒金管理装置は金融機関の関係者が使用することが前提となっているため、取り出された棒金の金種別本数が、出金すべき金種別本数よりも多くても、棒金ドロアを筐体に対してロックされないだけであり、開けっ放しにして逃げることができ、金融機関の関係者以外による両替には対応できなかった。
【００１１】
また、第４の技術では、包装硬貨の大量両替には、適さないものであった。
店舗の売上金の管理を店舗側に設けた入金装置へ投入するだけで、現金集配業務を行うセンターで入金データを得ることができると共に、入金機の現金を店舗側で扱うことなく店舗側の銀行へ振り込むことができる。しかしながら、第５の技術では、売上金の管理負担は軽減するものの、釣り銭の確保については考慮されていなかった。
【００１２】
そこで、本発明では、店舗における両替として考えられる組み合わせで包装された硬貨または紙幣を収納部から出金し両替することにより、両替の利便性を向上させることにより、釣り銭確保の負担を軽減する現金自動預払システム、該制御方法、及び収納装置を提供する。
【課題を解決するための手段】
【００１３】
本発明にかかる現金自動預払システムは、操作メニューが表示されると共に、該操作メニューへの操作が入力されるタッチパネル部と、現金を入金する入金部と、紙幣を収納する第１の収納部と、硬貨を収納する第２の収納部と、前記タッチパネル部への入力内容に応じた制御を行う第１の制御部と、第１の通信部と、を有する自動現金預払機と、前記第１の通信部と通信を行う第２の通信部と、包装硬貨または集合紙幣のうち少なくともいずれか一方を収納する第３の収納部と、前記第３の収納部をロックするロック部と、前記操作メニューにおいて両替モードが選択されて前記入金部に紙幣が所定の金額分入金された場合、前記第２の通信部を介して前記第１の制御部からの指示に応じて、前記ロック部を開錠する第２の制御部と、を有する収納装置と、を備える。
【００１４】
本発明にかかる現金自動預払システムの制御方法は、操作メニューが表示されると共に、該操作メニューへの操作が入力されるタッチパネル部と、現金を入金する入金部と、紙幣を収納する第１の収納部と、硬貨を収納する第２の収納部と、前記タッチパネル部への入力内容に応じた制御を行う第１の制御部と、第１の通信部と、を有する自動現金預払機と、前記第１の通信部と通信を行う第２の通信部と、包装硬貨または集合紙幣のうち少なくともいずれか一方を収納する第３の収納部と、前記第３の収納部をロックするロック部と、第２の制御部と、を有する収納装置と、を供える現金自動預払システムの制御方法であって、前記操作メニューにおいて両替モードが選択されて前記入金部に紙幣が所定の金額分入金された場合、前記第２の通信部を介して前記第１の制御部からの指示に応じて、前記ロック部を開錠する。
【００１５】
本発明にかかる収納装置は、操作メニューが表示されると共に、該操作メニューへの操作が入力されるタッチパネル部と、現金を入金する入金部と、包装硬貨または集合紙幣のうち少なくともいずれか一方を収納する収納部と、前記収納部をロックするロック部と、前記操作メニューにおいて両替モードが選択されて前記入金部に紙幣が所定の金額分入金された場合、前記ロック部を開錠する制御部と、を有する。
【発明の効果】
【００１６】
本発明によれば、店舗における釣り銭確保の負担を軽減することができる。
【図面の簡単な説明】
【００１７】
【図１】本実施形態における集配金システムの構成の一例を示す図である。
【図２】本実施形態における収納装置の外観構成の一例を示す図である。
【図３】本実施形態における包装硬貨収納トレーの一例を示す図である。
【図４】本実施形態におけるＡＴＭシステムのハードウェア構成の一例を示す図である。
【図５】本実施形態における包装現金収納部の構成の一例を示す図である。
【図６】本実施形態における紙幣カセット収納部の構成の一例を示す図である。
【図７】本実施形態における包装硬貨収納トレー管理テーブルの一例を示す図である。
【図８Ａ】本実施形態におけるＡＴＭ−ホスト間で送受される取引電文の一例（その１）を示す図である。
【図８Ｂ】本実施形態におけるＡＴＭ−ホスト間で送受される取引電文の一例（その２）を示す図である。
【図８Ｃ】本実施形態におけるＡＴＭ−ホスト間で送受される取引電文の一例（その３）を示す図である。
【図８Ｄ】本実施形態におけるＡＴＭ−ホスト間で送受される取引電文の一例（その４）を示す図である。
【図９】本実施形態における画面表示部に表示される画面の表示例（その１）を示す図である。
【図１０】本実施形態における画面表示部に表示される画面の表示例（その２）を示す図である。
【図１１】本実施形態における画面表示部に表示される画面の表示例（その３）を示す図である。
【図１２】本実施形態における画面表示部に表示される画面の表示例（その４）を示す図である。
【図１３】本実施形態における画面表示部に表示される画面の表示例（その５）を示す図である。
【図１４】本実施形態における画面表示部に表示される画面の表示例（その６）を示す図である。
【図１５】本実施形態における画面表示部に表示される画面の表示例（その７）を示す図である。
【図１６】本実施形態における画面表示部に表示される画面の表示例（その８）を示す図である。
【図１７】本実施形態における画面表示部に表示される画面の表示例（その９）を示す図である。
【図１８】本実施形態における画面表示部に表示される画面の表示例（その１０）を示す図である。
【図１９】本実施形態における画面表示部に表示される画面の表示例（その１１）を示す図である。
【図２０】本実施形態における画面表示部に表示される画面の表示例（その１２）を示す図である。
【図２１】本実施形態における画面表示部に表示される画面の表示例（その１３）を示す図である。
【図２２】本実施形態における画面表示部に表示される画面の表示例（その１４）を示す図である。
【図２３】本実施形態における画面表示部に表示される画面の表示例（その１５）を示す図である。
【図２４】本実施形態における画面表示部に表示される画面の表示例（その１６）を示す図である。
【図２５】本実施形態における画面表示部に表示される画面の表示例（その１７）を示す図である。
【図２６】本実施形態における画面表示部に表示される画面の表示例（その１８）を示す図である。
【図２７】本実施形態における画面表示部に表示される画面の表示例（その１９）を示す図である。
【図２８】本実施形態における画面表示部に表示される画面の表示例（その２０）を示す図である。
【図２９】本実施形態における画面表示部に表示される画面の表示例（その２１）を示す図である。
【図３０】本実施形態における画面表示部に表示される画面の表示例（その２２）を示す図である。
【図３１】本実施形態における画面表示部に表示される画面の表示例（その２３）を示す図である。
【図３２】本実施形態における画面表示部に表示される画面の表示例（その２４）を示す図である。
【図３３】本実施形態における画面表示部に表示される画面の表示例（その２５）を示す図である。
【図３４】本実施形態における画面表示部に表示される画面の表示例（その２６）を示す図である。
【図３５】本実施形態における画面表示部に表示される画面の表示例（その２７）を示す図である。
【図３６】本実施形態における画面表示部に表示される画面の表示例（その２８）を示す図である。
【図３７】本実施形態における画面表示部に表示される画面の表示例（その２９）を示す図である。
【図３８】本実施形態における画面表示部に表示される画面の表示例（その３０）を示す図である。
【図３９】本実施形態における画面表示部に表示される画面の表示例（その３１）を示す図である。
【図４０】本実施形態における画面表示部に表示される画面の表示例（その３２）を示す図である。
【図４１】本実施形態における画面表示部に表示される画面の表示例（その３３）を示す図である。
【図４２】本実施形態における画面表示部に表示される画面の表示例（その３４）を示す図である。
【図４３】本実施形態における画面表示部に表示される画面の表示例（その３５）を示す図である。
【図４４】本実施形態における画面表示部に表示される画面の表示例（その３６）を示す図である。
【図４５】本実施形態における画面表示部に表示される画面の表示例（その３７）を示す図である。
【図４６】本実施形態におけるＡＴＭシステムの動作フロー（その１）を示す図である。
【図４７】本実施形態におけるＡＴＭシステムの動作フロー（その２）を示す図である。
【図４８】本実施形態におけるＡＴＭシステムの動作フロー（その３）を示す図である。
【図４９】本実施形態におけるＡＴＭシステムの動作フロー（その４）を示す図である。
【図５０】本実施形態におけるＡＴＭシステムの動作フロー（その５）を示す図である。
【図５１】本実施形態におけるＡＴＭシステムの動作フロー（その６）を示す図である。
【図５２】本実施形態におけるＡＴＭシステムの動作フロー（その７）を示す図である。
【図５３】本実施形態におけるＡＴＭシステムの動作フロー（その８）を示す図である。
【図５４】本実施形態におけるＡＴＭシステムの動作フロー（その９）を示す図である。
【図５５】本実施形態におけるＡＴＭシステムの動作フロー（その１０）を示す図である。
【図５６】本実施形態におけるＡＴＭシステムの動作フロー（その１１）を示す図である。
【図５７】本実施形態におけるＡＴＭシステムの動作フロー（その１２）を示す図である。
【図５８】本実施形態におけるＡＴＭシステムの動作フロー（その１３）を示す図である。
【発明を実施するための形態】
【００１８】
従来の店舗売上金回収において、店舗本部においては、店舗の売上金の回収を警送会社等に頻繁に依頼する場合、当該依頼に係るコストが大きくなり、店舗集配金を低価格で運用し、釣り銭準備金の圧縮が求められていた。また、店舗においては、売上金の管理負担や釣り銭の確保が大きかった。
【００１９】
そこで、第５の技術を用いることにより、店舗の売上金の管理を店舗側に設けた入金装置へ投入するだけで、現金集配業務を行うセンターで入金データを得ることができると共に、入金機の現金を店舗側で扱うことなく店舗側の銀行へ振り込むことができる。しかしながら、第５の技術では、売上金の管理負担は軽減するものの、釣り銭の確保については考慮されていなかった。
【００２０】
また、第５の技術では、入金装置へ投入してから店舗側の銀行へ振り込むまでに時間を要し、売上金の早期資金化を図ることができなかった。
そこで、以下の実施形態では、店舗における両替として考えられる組み合わせで包装された硬貨または紙幣を収納部から出金し両替することにより、両替の利便性を向上させることにより、釣り銭確保の負担を軽減すると共に、売上金の管理負担を軽減し、売上金の回収／両替金の配送を低コストで運用し、さらに売上金を早期に本部口座に移動することができる現金自動預払システムについて説明する。
【００２１】
図１は、本実施形態における集配金システムの構成の一例を示す。集配金システム１は、ＡＴＭシステム２、データセンター３、現金警送会社４、銀行５、運用センター６を含む。データセンター３には、ＡＴＭシステム２と通信可能なコンピュータが備えられている。銀行５には、データセンター３と通信可能なホストコンピュータ（以下、「ホスト」という）が備えられている。運用センター６には、データセンター３と通信可能なコンピュータが備えられている。
【００２２】
ＡＴＭシステム２は、ＡＴＭ４１と、収納装置１１を含む。ＡＴＭ４１は、貨幣（紙幣および硬貨）の入出金や振込等の金融取引を行う装置である。
収納装置１１は、両替したい紙幣（１０,０００円札等）から、集合紙幣（同一種類の紙幣で一定数量（例えば、１千円札を１０枚）で纏められていて、取り扱いが可能な紙幣）または、包装硬貨への両替のために包装硬貨や集合紙幣を纏めて、取扱いが可能な状態になるように格納したり、ＡＴＭ４１内の紙幣カセットが一杯（フル状態）またはフル状態近く（ニアフル状態）になった場合に使用するための交換用の空の紙幣カセットもしくは空のリジェクトカセット等を格納したり、またはその交換の結果、交換されたフル状態もしくはニアフル状態の紙幣カセットもしくはリジェクトカセット等を収納する。ここで、紙幣カセットは、ＡＴＭ内に設置された紙幣スタッカに紙幣を補充したり、紙幣スタッカの紙幣を回収するためのカセットである。紙幣リジェクトカセットは、再度流通させるのに適さない紙幣を収納する。
【００２３】
図１において、ＡＴＭ４１は、現金出金、現金入金、振込み等の処理を行った場合、現金出金、現金入金、振込み等の取引電文を生成し、データセンター３へ送信する。また、ＡＴＭ４１は、ＡＴＭ４１内の現在の有高を示すＡＴＭ状態電文（有高情報）を生成し、データセンター３へ送信する。
【００２４】
データセンター３は、ＡＴＭ４１から送信された取引電文を銀行５にあるホストへ送信する。また、データセンター３は、ＡＴＭ４１から送信されたＡＴＭ状態電文（有高情報）を運用センター６へ送信する。
【００２５】
運用センター６では、データセンター３から送信されたＡＴＭ状態電文（有高情報）の内容に基づいて、ＡＴＭの警送に併せて、現金警送会社に売上金回収／釣り銭の配送を依頼したり、その他のＡＭＴシステム２の運用を管理・支援する。
【００２６】
ＡＭＴシステム２の運用の管理・支援としては、例えば、運用センター６においてＡＴＭ状態電文（有高情報）の分析の結果、ＡＴＭ内の紙幣カセットまたは紙幣リジェクトカセットがフル状態またはニアフル状態であると判断された場合、その紙幣カセット（紙幣リジェクトカセット）と、収納装置内にある空の紙幣カセット（紙幣リジェクトカセット）とを交換するように、警備会社等に依頼することが考えられる。このとき、運用センター６において、コンピュータが警備会社のコンピュータに対して電子メール等で自動的に通知するようにしてもよい。また、運用センター６のオペレータが警備会社の従業員へ電話、ＦＡＸ等をして通報してもよい。
【００２７】
図２は、本実施形態における収納装置の外観構成の一例を示す。収納装置１１は、主として、紙幣カセット収納部１２、包装現金収納部１６、制御部／電源部２１を含む。なお、収納装置１１の前面には、本来、内部が見えないように、かつ、カセット等の盗難を防止するために、扉が備えられているが、説明の都合上、図２においてその扉を省略している。
【００２８】
紙幣カセット収納部１２には、交換用または回収用の紙幣カセット１４ａ、交換用または回収用の紙幣リジェクトカセット１４ｂ等の紙幣カセット１４を収納するための紙幣カセット収納庫１３が複数棚状に設けられている。紙幣カセット１４には、バーコード（一次元バーコード、二次元バーコード）１５等のタグが付与されている。なお、タグはバーコードに限定されず、ＲＦＩＤ（Ｒａｄｉｏ  Ｆｒｅｑｕｅｎｃｙ  ＩＤｅｎｔｉｆｉｃａｔｉｏｎ）等であってもよい。バーコード１５には、紙幣カセット１４を識別するためのカセットＩＤがセットされている。
【００２９】
包装現金収納部１６には、包装硬貨が格納された収納部材である包装硬貨収納トレー１８ａを収納するための包装硬貨収納庫１７ａ、および複数種類の集合紙幣が格納された集合紙幣収納トレー１８ｂを収納するための集合紙幣収納庫１７ｂが複数棚状に設けられている。包装現金とは、包装硬貨または、集合紙幣など紙幣や硬貨が一定の数量で袋や帯等で纏められていて、取扱いが可能な状態の紙幣または硬貨である。包装硬貨収納トレー１８ａには、バーコード（一次元バーコード、二次元バーコード）１９等のタグが付与されている。なお、タグはバーコードに限定されず、ＲＦＩＤ等の情報記憶媒体であってもよい。バーコード１９には、包装硬貨収納トレー１８ａを識別するためのトレーＩＤ、その包装硬貨収納トレー１８ａに収納されている包装硬貨の有高（例えば、１００円の包装硬貨（５０枚／本）がｎ本等）等がバーコード情報として設定されている。なお、そのバーコード情報に、有高の総計を含んでいてもよい。尚、本実施例では、包装硬貨を例に挙げて説明を行なう。
【００３０】
また、各包装硬貨収納庫１７ａには、包装硬貨収納トレー１８ａが不用意に取り出されることを防止するための扉（不図示）が設けられており、それらの扉はそれぞれ電磁ロック２０によりロックされている。
【００３１】
制御部／電源部２１は、ＡＴＭ４１との通信を行ったり、収納装置１１の全体の動作の制御、及び電源の制御等を行っている。
【００３２】
図３は、本実施形態における包装硬貨収納トレーの一例を示す。例えば、包装硬貨収納トレー１８ａの前方部分には、バーコード１９が付与されている。
【００３３】
包装硬貨収納トレー１８ａは、複数種類の包装硬貨２５ａまたは、単一種類の包装硬貨２５ａを１以上収納することができる。１つの包装硬貨収納トレー１８ａには、例えば、５万円分の包装硬貨（１の金種のみ）、１５万円分の包装硬貨（５の金種のみ）等の、１回の両替分の包装硬貨が収納されている。５万円分の包装硬貨（１の金種のみ）とは、例えば、１００円の包装硬貨（５０枚／本）が９本、１０円の包装硬貨（５０枚／本）が９本、１円の包装硬貨（５０枚／本）が１０本の計２８本の包装硬貨群をいう。１５万円分の包装硬貨（５の金種のみ）とは、例えば、５００円の包装硬貨（５０枚／本）が５本、５０円の包装硬貨（５０枚／本）が９本、５円の包装硬貨（５０枚／本）が１０本で合計２４本の包装硬貨となり、これを包装硬貨群という。この包装硬貨群をひと纏めに袋等に入れて取り扱うことも可能である。
【００３４】
尚、包装硬貨（１の金種）とは、１００円、１０円、１円等の種類で、金額の頭に「１」の数字が付く包装硬貨を示し、包装硬貨（５の金種）とは、５００円、５０円、５円等の種類で、金額の頭に「５」の数字が付く包装硬貨を示す。
【００３５】
また、集合紙幣収納トレー１８ｂの前方部分にも、バーコード１９が付与されている。集合紙幣収納トレー１８ｂは、複数種類の集合紙幣２５ｂまたは、単一種類の集合紙幣２５ｂを１以上を収納することができる。
【００３６】
１つの集合紙幣収納トレー１８ｂには、１５万円分１回の両替分の集合紙幣が収納されている。例えば、５千札１０枚が１つに纏められた（束ねた、または袋に入れられた）５千円の集合紙幣が２セット分と１千円札１０枚が１つに纏められた１千円の集合紙幣が５セット分で合計７セットとなり、これを集合紙幣群をいう。この集合紙幣群をひと纏めに袋等に入れて取り扱うことも可能である。
【００３７】
図４は、本実施形態におけるＡＴＭシステムのハードウェア構成の一例を示す。ＡＴＭシステム２は、ＡＴＭ４１と、収納装置１１を含む。
ＡＴＭ４１は、通信制御部４２、主制御部４３、画面表示部４４、レシート／通帳印字部４５、入力部４６、カードリーダライタ４７、外部通信制御部４８、紙幣入出金部４９、紙幣識別部５０、紙幣収納部５１、硬貨入出金部５５、硬貨識別部５６、硬貨収納部５７、電源６１を含む。
【００３８】
通信制御部４２は、例えばＵＳＢ（Ｕｎｉｖｅｒｓａｌ  Ｓｅｒｉａｌ  Ｂｕｓ）等のプロトコルを用いて、収納装置１１の通信制御部３１と通信する。
主制御部４３は、ＡＴＭ４１の全体の動作を制御する。主制御部４３は、ＣＰＵ（Ｃｅｎｔｒａｌ  Ｐｒｏｃｅｓｓｉｎｇ  Ｕｎｉｔ）と、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等の記憶部等を含む。記憶部には、ＡＴＭ４１を動作させるためのプログラム等が格納されている。主制御部４３は、記憶部から読み出したプログラムに基づいて操作画面を生成し、その操作画面を画面表示部４４に表示させる。
【００３９】
レシート／通帳印字部４５は、レシートや通帳に印字する。入力部４６は、ユーザによる操作指示が入力される。なお、入力部４６と画面表示部４４とを合わせてタッチパネルとしてもよい。
【００４０】
カードリーダライタ４７は、キャッシュカード、売上金入金カード、警備カード等の磁気カードやＩＣカード等のカード類を読み込んだり、書き込んだりする。ここで、売上金入金カードとは、例えば、ＡＴＭシステム２が設置されている店舗の従業者が店舗の売上を入金する場合や両替する場合に利用するカードである。また、警備カードとは、例えば、ＡＴＭ内でフル状態またはニアフル状態になった紙幣カセット（または紙幣リジェクトカセット）をＡＴＭシステム２から回収したり、ＡＴＭシステム２に装填したり、交換したりする場合に用いるカードである。
【００４１】
外部通信制御部４８は、データセンター３と通信を制御する。紙幣入出金部４９は、紙幣を入金したり、出金するための入金・出金口である。紙幣識別部５０は、入金された紙幣を識別したり、出金する紙幣を識別する。紙幣識別部５０によって識別された紙幣は、紙幣収納部５１へ搬送される。
【００４２】
紙幣収納部５１は、紙幣スタッカ５２、紙幣カセット５３、紙幣リジェクトカセット５４を含む。紙幣スタッカ５２は、紙幣収納部５１に固定された収納部であり、入出金のための紙幣を一時的に収納する。紙幣カセット５３は、紙幣スタッカ５３に紙幣を補充したり、紙幣スタッカ５３の紙幣を回収するために用いられるカセットである。紙幣リジェクトカセット５４は、再度流通させるのに適さない紙幣を収納する。
【００４３】
硬貨入出金部５５は、硬貨を入金したり、出金するための入金・出金口である。硬貨識別部５６は、入金された硬貨を識別したり、出金する硬貨を識別する。硬貨識別部５６によって識別された硬貨は硬貨収納部５７へ搬送される。
【００４４】
硬貨収納部５７は、硬貨スタッカ５８、硬貨カセット５９、硬貨リジェクトカセット６０を含む。硬貨スタッカ５８は、紙幣収納部５１に固定された収納部であり、入出金のための硬貨を一時的に収納する。硬貨カセット５９は、硬貨スタッカ５８に硬貨を補充したり、硬貨スタッカ５８の硬貨を回収するために用いられるカセットである。硬貨リジェクトカセット６０は、再度流通させるのに適さない硬貨を収納する。
【００４５】
電源供給部６１は、外部電源と接続されて供給された電力を変換して、ＡＴＭ４１の各部へ供給する。
収納装置１１は、制御部／電源部２１、包装現金収納部１６、紙幣カセット収納部１２を含む。制御部／電源部２１は、通信制御部３１、主制御部３２、バーコードリーダ３３、電源供給部３４を含む。
【００４６】
通信制御部３１は、例えばＵＳＢ等のプロトコルを用いて、ＡＴＭ４１の通信制御部４２と通信する。
主制御部３２は、収納装置１１全体の動作を制御する。主制御部３２は、ＣＰＵと、ＲＯＭ、ＲＡＭ等の記憶部等を含む。記憶部には、収納装置１１を動作させるためのプログラム等が格納されている。
【００４７】
バーコードリーダ３３は、紙幣カセット１４や包装硬貨収納トレー１８ａに付与されたバーコード（一次元バーコードまたは二次元バーコード）等を読み取るためのリーダである。なお、本実施形態では、バーコードリーダを用いるが、これに限定されず、ＲＦＩＤリーダ等の情報記憶媒体であればよい。電源供給部３４は、外部電源と接続されて供給された電力を調整して、ＡＴＭ４１の各部へ供給する。
【００４８】
包装現金収納部１６は、包装硬貨収納トレー１８ａを収納するための包装硬貨収納庫１７ａ及び集合紙幣収納トレー１８ｂを収納するための集合紙幣収納庫１７ｂを複数有する。紙幣カセット収納部１２は、紙幣カセット、紙幣リジェクトカセット等のカセットを収納するための紙幣カセット収納庫１３を複数有する。
【００４９】
各包装硬貨収納庫１７ａ、各集合紙幣収納庫１８ｂ及び各紙幣カセット収納庫１３には、どの収納庫であるかを識別する収納庫ＩＤが割り当てられ、その収納庫ＩＤは主制御部３２で管理されている。そして、操作者が包装硬貨収納庫１７ａに包装硬貨収納トレー１８ａを収納した後に、バーコードリーダ３３で包装硬貨収納トレー１８ａのバーコード１９を読み取ると共に、その包装硬貨収納トレー１８ａを収納した包装硬貨収納庫１７ａの収納庫ＩＤも登録する。読み取ったバーコード情報１９及び収納庫ＩＤは、主制御部３２を介して、ＡＴＭ４１の主制御部４３に送られる。これにより、主制御部４３は、包装硬貨収納トレー１８ａのバーコード１９と、包装硬貨収納庫１７ａの収納庫ＩＤとを関係付けて管理することができる。集合紙幣収納庫１７ｂ及び集合紙幣収納トレー１８ｂについては、包装硬貨収納庫１７ａ及び包装硬貨収納トレー１８ａと同様にして、集合紙幣収納トレー１８ｂのバーコード１９と、集合紙幣収納庫１７ｂの収納庫ＩＤとを関係付けて管理されている。
【００５０】
また、操作者が紙幣カセット収納庫１３に紙幣カセット１４を収納した後に、バーコードリーダ３３で紙幣カセット１４のバーコード１５を読み取ると共に、その紙幣カセット１４を収納した紙幣カセット収納庫１３の収納庫ＩＤも登録する。読み取ったバーコード情報１５及び収納庫ＩＤは、主制御部３２を介して、ＡＴＭ４１の主制御部４３に送られる。これにより、紙幣カセット１４のバーコード１５と、紙幣カセット収納庫１３の収納庫ＩＤとを関係付けて管理することができる。
【００５１】
なお、紙幣カセット収納庫１３の収納庫ＩＤの登録は、ＡＴＭ４１の入力部４６を用いて登録してもよいし、主制御部３２と接続された入力装置（不図示）を用いて登録してもよい。
【００５２】
図５は、本実施形態における包装現金収納部の構成の一例を示す。図５（Ａ）に示すように、包装現金収納部１６は、複数の包装硬貨収納庫１７ａ及び集合紙幣収納庫１７ｂ、開閉制御部７１を含む。また、図５（Ｂ）に示すように、各包装硬貨収納庫１７ａは、電磁ロック２０、トレー検知部７２を有する。電磁ロック２０は、包装硬貨収納庫１７ａの扉（不図示）をロックするためのものである。集合紙幣収納庫１７ｂについても同様に、電磁ロック、トレー検知部を有する。以下では、説明の便宜上、包装硬貨収納庫１７ａ及び包装硬貨収納トレー１８ａに着目して説明を行うが、包装硬貨収納庫１７ａ及び包装硬貨収納トレー１８ａについても包装硬貨収納庫１７ａ及び包装硬貨収納トレー１８ａと同様に取り扱うことができる。
【００５３】
開閉制御部７１は、包装硬貨収納庫１７ａの扉（不図示）が所定の手順を踏まずに開閉されるのを防止する電磁ロック２０を制御する。トレー検知部７２は、包装硬貨収納庫１７ａに包装硬貨収納トレー１８ａが装填されたことを検知するためのマイクロスイッチまたは光センサー等である。
【００５４】
なお、本実施形態では、包装硬貨収納庫１７ａの扉を電磁ロックを用いてロックするようにしたが、これに限定されず、各装硬貨収納庫１７の扉を独立してロックし、所定の手順を踏んだ場合にロックを解除することができるものであれば、電磁ロックに限定されない。
【００５５】
図６は、本実施形態における紙幣カセット収納部の構成の一例を示す。図６（Ａ）に示すように、紙幣カセット収納部１２は、複数の紙幣カセット収納庫１３、カセット着脱制御部８１を含む。また、図６（Ｂ）に示すように、各紙幣カセット収納庫１３は、電磁ロック８３、紙幣カセット検知部８２を有する。
【００５６】
カセット着脱制御部８１は、紙幣カセット収納庫１３に収納された紙幣カセット（または紙幣リジェクトカセット）１４が所定の手順を踏まずに取り出されるのを防止する電磁ロック８３を制御する。紙幣カセット検知部８２は、紙幣カセット収納庫１３に紙幣カセット１４が装填されたことを検知するためのマイクロスイッチまたは光センサー等である。
【００５７】
図７は、本実施形態における包装硬貨収納トレー管理テーブルの一例を示す。包装硬貨収納トレー管理テーブルは、包装硬貨収納トレー１８ａと包装硬貨収納庫１７ａを関係付ける関係テーブルである。上述したように、包装硬貨収納トレー１８ａに付与されたバーコード１のバーコード情報には、包装硬貨収納トレー１８ａを識別するためのトレーＩＤ、その包装硬貨収納トレー１８ａに収納されている包装硬貨の有高（その総額も含んでいてもよい）が設定されている。このとき、包装硬貨収納庫１７ａに包装硬貨収納トレー１８ａを収納した後に、バーコードリーダ３３で包装硬貨収納トレー１８ａのバーコード１９を読み取ると共に、その包装硬貨収納トレー１８ａを収納した包装硬貨収納庫１７ａの収納庫ＩＤも登録する。すると、図７に示すような包装硬貨収納トレー管理テーブルが主制御部４３により作成される。包装硬貨収納トレー管理テーブルは、主制御部４３内の記憶装置に格納される。
【００５８】
包装硬貨収納トレー管理テーブルは、例えば「収納庫ＩＤ」、「包装硬貨収納トレーＩＤ」、「包装硬貨収納トレーの有高」、「総額」のデータ項目を有する。「収納庫ＩＤ」には、包装硬貨収納庫１７ａの収納庫ＩＤが格納される。「包装硬貨収納トレーＩＤ」には、包装硬貨収納トレーのトレーＩＤが格納される。「包装硬貨収納トレーの有高」には、１００円の包装硬貨がｎ本等のように、金種別に、包装硬貨の本数が格納される。「総額」には、包装硬貨収納トレー内の総額が格納される。集合紙幣トレー管理テーブルの場合も包装硬貨収納トレー管理テーブルと同様なので説明は省略する。
【００５９】
図８（図８Ａ、図８Ｂ、図８Ｃ、図８Ｄ）は、本実施形態におけるＡＴＭ−ホスト間で送受される取引電文の一例を示す。取引電文は、ＡＴＭを識別する固有情報や、ＡＴＭの状態（例えば、有高等）を管理するＡＴＭ管理情報、及び金融取引に必要な情報または収納装置１１の管理のために必要な情報等を含む。
【００６０】
図９−図４５は、本実施形態における画面表示部に表示される画面の表示例を示す。図４６−図５８は、本実施形態におけるＡＴＭシステムの動作フローを示す。以下では、図８−図４５を参照しながら、図４６−図５８を説明する。
【００６１】
まず、図４６のフローにおいて、図９に示すように、画面表示部４４には、取引初期画面が表示される（Ｓ１）。このとき、取引初期画面の「取引開始」ボタンが押下されるまで、主制御部４３は、画面操作待ち状態になっている（Ｓ２、Ｓ３で「Ｎｏ」）。
【００６２】
取引初期画面の「取引開始」ボタンが押下されると（Ｓ３で「Ｙｅｓ」）、図１０に示すように、カード挿入誘導画面が表示される（Ｓ４）。このとき、操作者はＡＴＭ４１のカード挿入口に所定のカードを挿入する。すると、カードリーダライタ４７は、その挿入されたカードを読み取る（Ｓ５）。
【００６３】
主制御部４３は、カードリーダライタ４７による読み取り結果に基づいて、挿入されたカードの妥当性を確認する（Ｓ６）。Ｓ６において、挿入されたカードが妥当でないと判定された場合（Ｓ６で「ＮＧ」）、主制御部４３は、図２１に示すように、カード異常を知らせる画面を表示する。それから、主制御部４３は、図２２に示すように、カード返却画面を表示させ、カードを挿入口から排出する。そして、主制御部４３は、図２３に示すように、取引終了画面を表示させる（Ｓ７）。挿入口からカードが抜き取られると、Ｓ１へ戻る。
【００６４】
Ｓ６において、挿入されたカードが妥当であると判定された場合（Ｓ６で「ＯＫ」）、主制御部４３は、その挿入されたカードがキャッシュカード等の一般のカードであるか否かを判定する（Ｓ８）。
【００６５】
その挿入されたカードが一般のカードであると判定された場合（Ｓ８で「Ｙｅｓ」）、主制御部４３は、図１１に示すように、取引選択画面を表示する（Ｓ９）。図１１の取引選択画面において、「入金取引」が選択された場合（Ｓ１０で「Ｙｅｓ」）、図４７に示す入金取引処理が行われる。
【００６６】
図４７のフローでは、まず、ＡＴＭ４１からホストへ、挿入されたカードのデータが取引電文ＴＤ１０１として送信される（Ｓ１１）。図８Ａに示すように、取引電文ＴＤ１０１には、カード磁気ストライプデータ（口座番号／科目）が含まれる。
【００６７】
ホストは、受信した取引電文ＴＤ１０１の内容に基づいて、取引を行ってもよいかを判定する（Ｓ１２）。Ｓ１２の判定の結果、ホストから取引許可が得られなかった場合（Ｓ１２で「ＮＧ」）、主制御部４３は、図２１に示すように、取引不可を知らせる画面を表示する。それから、主制御部４３は、図２２に示すように、カード返却画面を表示させ、カードを挿入口から排出する。挿入口からカードが抜き取られると、主制御部４３は、図２３に示すように、取引終了画面を表示させる（Ｓ１３）。その後、図４６のＳ１へ戻る。
【００６８】
Ｓ１２の判定の結果、ホストから取引許可が得られた場合（Ｓ１２で「ＯＫ」）、主制御部４３は、図１２に示すように、入金誘導画面を表示させる（Ｓ１４）。紙幣入出金部４９に紙幣がセット、及び／または硬貨入出金部５６に硬貨がセットされると、主制御部４３は、紙幣識別部５０、硬貨識別部５６を用いて入金された紙幣、硬貨を計数する（Ｓ１５）。
【００６９】
Ｓ１５の計数後、主制御部４３は、図１３に示す件数金額表示画面を表示させ、図１４に示す確認画面を表示させる（Ｓ１６）。図１４において、「キャンセル」ボタンが押下された場合（Ｓ１７で「ＮＧ」）、主制御部４３は、カードを挿入口から排出すると共に入金された紙幣または硬貨を紙幣入出金部４９または硬貨入出金部５６から返却する。そして、主制御部４３は、図２３に示すように、取引終了画面を表示させる（Ｓ１８）。その後、図４６のＳ１へ戻る。
【００７０】
図１４において、「確認」ボタンが押下された場合（Ｓ１７で「ＯＫ」）、主制御部４３は、入金された貨幣（紙幣及び／または硬貨）を紙幣収納部５１及び／または硬貨収納部５７に収納し、ＡＴＭの有高を更新する（Ｓ１９）。
【００７１】
すると、主制御部４３−ホスト間で、決済電文として取引電文ＴＤ１０２，ＴＤ１０３が送受信される（Ｓ２０）。すなわち、ＡＴＭ４１からホストへは、取引電文ＴＤ１０２が送信される。取引電文ＴＤ１０２には、入金金額（金種／枚数）／口座番号／科目の情報が含まれる。その後、ホストからＡＴＭ４１へは、取引電文ＴＤ１０３が送信される。取引電文ＴＤ１０３には、取引完了情報／口座番号／科目／暗証番号が含まれる。
【００７２】
主制御部４３は、図１５に示すように、取引終了とカード返却を知らせる画面を表示させ、カードを挿入口から排出する（Ｓ２１）。カードが抜き取られると、主制御部４３は、図１６に示すように、入金取引完了を知らせる画面を表示させる（Ｓ２２）。その後、図４６のＳ１へ戻る。
【００７３】
図１１の取引選択画面において、「出金取引」が選択された場合（Ｓ１０で「Ｎｏ」、図４８のＳ３１で「Ｙｅｓ」）、図４８に示す出金取引処理が行われる。なお、「入金と取引」及び「出金取引」以外の取引・操作が指定された場合には（Ｓ３１で「Ｎｏ」）、その指定された取引・操作に応じた画面に遷移し（Ｓ３２）、遷移先の画面に応じた取引・操作を行って、本フローは終了する。
【００７４】
図４８のフローにおいて、「出金取引」が選択された場合（Ｓ３１で「Ｙｅｓ」）、ＡＴＭ４１からホストへ、挿入されたカードのデータが取引電文ＴＤ１０１として送信される（Ｓ３３）。図８Ａに示すように、取引電文ＴＤ１０１には、カード磁気ストライプデータ（口座番号／科目）が含まれる。
【００７５】
ホストは、受信した取引電文ＴＤ１０１の内容に基づいて、取引を行ってもよいかを判定する（Ｓ３４）。Ｓ１２の判定の結果、ホストから取引許可が得られなかった場合（Ｓ３４で「ＮＧ」）、主制御部４３は、図２１に示すように、取引不可を知らせる画面を表示する。それから、主制御部４３は、図２２に示すように、カード返却画面を表示させ、カードを挿入口から排出する。挿入口からカードが抜き取られると、主制御部４３は、図２３に示すように、取引終了画面を表示させる（Ｓ３５）。その後、図４６のＳ１へ戻る。
【００７６】
Ｓ３４の判定の結果、ホストから取引許可が得られた場合（Ｓ３４で「ＯＫ」）、主制御部４３は、出金誘導画面を表示させる（Ｓ３６）。すなわち、主制御部４３は、図１７に示すように、暗証番号を入力する暗証番号入力画面を表示させる。暗証番号入力画面において、暗証番号が入力されると、主制御部４３は、図１８に示すように、出金金額を入力する金額入力画面を表示させる。
【００７７】
主制御部４３は、暗証番号入力画面及び金額入力画面に入力された内容の妥当性を判定する（Ｓ３７）。Ｓ３７において入力された内容が妥当でない場合（Ｓ３７で「ＮＧ」）、Ｓ３６の処理へ戻る。
【００７８】
Ｓ３７において入力された内容が妥当である場合（Ｓ３７で「ＯＫ」）、主制御部４３は、入力データを取引電文ＴＤ１０４として送信する（Ｓ３８）。図８Ａに示すように、取引電文ＴＤ１０４には、出金指定金額／口座番号／科目／暗証番号の情報が含まれる。
【００７９】
すると、主制御部４３−ホスト間で、決済電文として取引電文ＴＤ１０５，ＴＤ１０６，ＴＤ１０７が送受信される（Ｓ３９）。すなわち、ホストからＡＴＭ４１へは、取引電文ＴＤ１０５が送信される。取引電文ＴＤ１０５には、出金許可金額／口座番号／科目／暗証番号の情報が含まれる。その後、ＡＴＭ４１からホストへは、取引電文ＴＤ１０６が送信される。取引電文ＴＤ１０６には、出金完了金額（金種／枚数）／口座番号／科目／暗証番号の情報が含まれる。その後、さらに、ホストからＡＴＭ４１へ、取引電文１０７が送信される。取引電文１０７には、取引完了情報／口座番号／科目／暗証番号の情報が含まれる。
【００８０】
その後、主制御部４３は、貨幣（紙幣及び／または硬貨）を紙幣収納部５１及び／または硬貨収納部５７から出金し、ＡＴＭ４１の有高を更新する（Ｓ４０）。
主制御部４３は、図１９に示すように、取引終了を知らせると共に、カード返却及び出金した貨幣の取り出しを促す画面を表示させ、カードを挿入口から排出する（Ｓ４１）。カードが抜き取られると、主制御部４３は、図２０に示すように、出金取引完了を知らせる画面を表示させる（Ｓ４２）。その後、図４６のＳ１へ戻る。
【００８１】
図４６のＳ８において、挿入されたカードが一般のカードでないと判定された場合（Ｓ８で「Ｎｏ」）、主制御部４３は、図４９のフローに示すように、その挿入されたカードが売上金入金カードであるか否かを判定する（Ｓ５１）。
【００８２】
その挿入されたカードが売上金入金カードであると判定された場合（Ｓ５１で「Ｙｅｓ」）、主制御部４３は、図２４に示すように、売上金入金／両替選択画面を表示させる（Ｓ５２）。
【００８３】
図２４の売上金入金／両替選択画面において、「終了」ボタンが押下された場合（Ｓ５３で「Ｎｏ」、Ｓ５４で「Ｎｏ」）、主制御部４３は、図２５に示すように、取引終了を知らせると共に、カードの取り出しを促す画面を表示させ（Ｓ５５）、カードを挿入口から排出する。カードが抜き取られると、主制御部４３は、図１６に示すように、取引完了を知らせる画面を表示させる（Ｓ５６）。その後、図４６のＳ１へ戻る。
【００８４】
図２４の売上金入金／両替選択画面において、「売上金入金」ボタンが押下された場合（Ｓ５３で「Ｙｅｓ」）、主制御部４３は、図５０に示す売上金入金処理を行う。
図５０のフローにおいて、まず、ＡＴＭ４１からホストへ、挿入されたカードのデータが取引電文ＴＤ１０１として送信される（Ｓ６１）。図８Ａに示すように、取引電文ＴＤ１０１には、カード磁気ストライプデータ（口座番号／科目）が含まれる。
【００８５】
ホストは、受信した取引電文ＴＤ１０１の内容に基づいて、取引を行ってもよいかを判定する（Ｓ６２）。Ｓ６２の判定の結果、ホストから取引許可が得られなかった場合（Ｓ６２で「Ｎｏ」）、主制御部４３は、図２１に示すように、取引不可を知らせる画面を表示する。それから、主制御部４３は、図２２に示すように、カード返却画面を表示させ、カードを挿入口から排出する。挿入口からカードが抜き取られると、主制御部４３は、図２３に示すように、取引終了画面を表示させる（Ｓ６３）。その後、図４６のＳ１へ戻る。
【００８６】
Ｓ６２の判定の結果、ホストから取引許可が得られた場合（Ｓ６２で「Ｙｅｓ」）、主制御部４３は、図１２に示すように、入金誘導画面を表示させる（Ｓ６４）。紙幣入出金部４９に紙幣がセット、及び／または硬貨入出金部５６に硬貨がセットされると、主制御部４３は、紙幣識別部５０、硬貨識別部５６を用いて入金された紙幣、硬貨を計数する（Ｓ６５）。
【００８７】
計数後、主制御部４３は、図１３に示す件数金額表示画面を表示させ、図１４に示す確認画面を表示させる（Ｓ６６）。図１４において、「キャンセル」ボタンが押下された場合（Ｓ６７で「ＮＧ」）、主制御部４３は、カードを挿入口から排出すると共に入金された紙幣または硬貨を紙幣入出金部４９または硬貨入出金部５６から返却する。挿入口からカードが抜き取られると、主制御部４３は、図２３に示すように、取引終了画面を表示させる（Ｓ６８）。その後、図４９のＳ５１へ戻る。
【００８８】
図１４において、「確認」ボタンが押下された場合（Ｓ６７で「ＯＫ」）、主制御部４３は、入金された貨幣（紙幣及び／または硬貨）を紙幣収納部５１及び／または硬貨収納部５７に収納し、ＡＴＭ４１の有高を更新する（Ｓ６９）。
【００８９】
すると、主制御部４３−ホスト間で、決済電文として取引電文ＴＤ１０２，ＴＤ１０３が送受信される（Ｓ７０）。すなわち、ＡＴＭ４１からホストへは、取引電文ＴＤ１０２が送信される。取引電文ＴＤ１０２には、入金金額（金種／枚数）／口座番号／科目の情報が含まれる。ホストからＡＴＭ４１へは、取引電文ＴＤ１０３が送信される。取引電文ＴＤ１０３には、取引完了情報／口座番号／科目／暗証番号が含まれる。
【００９０】
主制御部４３は、図１５に示すように、取引終了とカード返却を知らせる画面を表示させ、カードを挿入口から排出する（Ｓ７１）。カードが抜き取られると、主制御部４３は、図１６に示すように、売上金入金取引完了を知らせる画面を表示させる（Ｓ７２）。その後、図４９のＳ５１へ戻る。
【００９１】
図２４の売上金入金／両替選択画面において、「両替」ボタンが押下された場合（図４９のＳ５３で「Ｎｏ」、Ｓ５４で「Ｙｅｓ」）、主制御部４３は、図５１及び図５２に示す両替取引処理を実行する。
【００９２】
図５１のフローにおいて、まず、ＡＴＭ４１からホストへ、挿入されたカードのデータが取引電文ＴＤ１０１として送信される（Ｓ８１）。図８Ａに示すように、取引電文ＴＤ１０１には、カード磁気ストライプデータ（口座番号／科目）が含まれる。
【００９３】
ホストは、受信した取引電文ＴＤ１０１の内容に基づいて、取引を行ってもよいかを判定する（Ｓ８２）。Ｓ８２の判定の結果、ホストから取引許可が得られなかった場合（Ｓ８２で「Ｎｏ」）、主制御部４３は、図２１に示すように、取引不可を知らせる画面を表示する。それから、主制御部４３は、図２２に示すように、カード返却画面を表示させ、カードを挿入口から排出する。挿入口からカードが抜き取られると、主制御部４３は、図２３に示すように、取引終了画面を表示させる（Ｓ８３）。その後、図４６のＳ１へ戻る。
【００９４】
Ｓ８２の判定の結果、ホストから取引許可が得られた場合（Ｓ８２で「Ｙｅｓ」）、主制御部４３は、図２６に示すように、両替画面２００を表示させる（Ｓ８４）。両替画面２００は、紙幣について両替する金種とその枚数を指定する機能と、収納装置１１内の包装硬貨収納トレー単位で包装硬貨を指定する機能、及び収納装置１１内の集合紙幣収納トレー１８ｂ単位で集合紙幣を指定する機能を有する。
【００９５】
紙幣へ両替する場合、両替したい金種に応じて、金種選択ボタン２０５を選択する。例えば、千円券に両替したい場合には、金種選択ボタン２０５のうち、「千円券」ボタンを選択する。すると、領域２０１において、千円券が強調表示される。このとき、テンキー２０４で千円券の数量を指定し、「確定」ボタンを押すと枚数が確定する。
【００９６】
また、包装硬貨に両替する場合、必要な包装硬貨の有高に応じて、金種選択ボタン２０５のうち、「包装硬貨１」ボタン及び／または「包装硬貨２」ボタンを選択する。また、包装硬貨セット数指定領域２０２ａには、包装硬貨１について、１００円の包装硬貨（○○本）、１０円の包装硬貨（○○本）、１円の包装硬貨（○○本）からなる○○万円分の包装硬貨（１セット）という有高が示されている。包装硬貨２については、５００円の包装硬貨（○○本）、５０円の包装硬貨（○○本）、５円の包装硬貨（○○本）からなる○○万円分の包装硬貨（１セット）という有高が示されている。例えば、金種選択ボタン２０５のうち、「包装硬貨１」ボタンをする。すると、領域２０１において、包装硬貨１が強調表示される。このとき、テンキー２０４で数量を指定し、「確定」ボタンを押すとセット数が確定する。
【００９７】
集合紙幣に両替する場合、必要な集合紙幣の有高に応じて、金種選択ボタン２０５のうち、「集合紙幣１」ボタンを選択する。また、集合紙幣セット数指定領域２０２ｂには、集合紙幣１について、５千円券の集合紙幣（○枚×○本）、１千円券の集合紙幣（○枚×○本）からなる○○万円分の集合紙幣（１セット）という有高が示されている。例えば、金種選択ボタン２０５の「集合紙幣１」ボタンをする。すると、領域２０１において、集合紙幣１が強調表示される。このとき、テンキー２０４で数量を指定し、「確定」ボタンを押すとセット数が確定する。
【００９８】
両替合計表示欄２０６には、上記で入力した内容に応じて、両替に必要な金額が表示される。「両替開始」ボタンが押下されると、主制御部４３は、両替内容を確認し、両替動作へ移行する。
【００９９】
なお、包装硬貨へ両替するためのボタンは、図２６において、「包装硬貨１」ボタン、「包装硬貨２」ボタンの２つであり、「包装硬貨１」、「包装硬貨２」の包装硬貨の内訳は上述した通りであるが、これらは収納装置１１の包装硬収納部１６に収納されている収納トレーの内容に依存する。これについて詳述する。
【０１００】
両替画面２００が表示される場合、主制御部４３は、後述する図５５及び図５６において作成される、図７の包装硬貨収納トレー管理テーブルを、主制御部４３の記憶装置から読み出す。このとき、主制御部４３は、包装硬貨収納トレー管理テーブルを、「包装硬貨収納トレーの有高」でグループ化し、グループ化後の包装硬貨収納トレー管理情報に応じて、金種選択ボタン２０５の「包装硬貨」ボタンと、包装硬貨セット数指定領域２０２の表示内容を設定する。
【０１０１】
例えば、図７の包装硬貨収納トレー管理テーブルの内容の場合、「包装硬貨収納トレーの有高」でグループ化すると、「１００円：９本、１０円：９本、１円：１０本」、「５００円：５本、５０円：９本、５円：１０本」のグループが得られる。この場合、金種選択ボタン２０５として、「包装硬貨１」ボタン、「包装硬貨２」ボタンが表示され、包装硬貨セット数指定領域２０２には、包装硬貨１（５万円）について、１００円の包装硬貨（９本）、１０円の包装硬貨（９本）、１円の包装硬貨（１０本）という有高が表示される。また、包装硬貨２（１５万円）について、５００円の包装硬貨（５本）、５０円の包装硬貨（９本）、５円の包装硬貨（１０本）という有高が表示される。
【０１０２】
なお、この場合、「包装硬貨１」、「包装硬貨２」で指定できるセット数の上限はそれぞれ、図７の内容から３セットである。
また、集合紙幣へ両替するためのボタンは、図２６において、「集合紙幣１」ボタンであり、「集合紙幣１」の集合紙幣の内訳は上述した通りであるが、これらは収納装置１１の包装硬収納部１６に収納されている収納トレーの内容に依存する。その詳細については、包装硬貨の場合と同様なので、その説明を省略する。
【０１０３】
両替画面２００において、入力が完了して、「両替開始」ボタンを押下すると（Ｓ８５）、主制御部４３は、両替に必要な現金（両替元金）の計算を行う（Ｓ８６）。両替ができない場合（Ｓ８７で「Ｎｏ」）、主制御部４３は、その旨を表示し、Ｓ８４へ戻る。
【０１０４】
Ｓ８７において、両替が可能な場合（Ｓ８７で「Ｙｅｓ」）、主制御部４３は、図２７に示すように、両替元金の入金誘導画面を表示させる（Ｓ８８）。紙幣入出金部４９に紙幣がセット、及び／または硬貨入出金部５６に硬貨がセットされると、主制御部４３は、入金された紙幣、硬貨を、紙幣識別部５０、硬貨識別部５６を用いて計数する（Ｓ８９）。
【０１０５】
Ｓ８９の計数後、主制御部４３は、図１３に示す件数金額表示画面を表示させ、図１４に示す確認画面を表示させる（Ｓ９０）。図１４において、「キャンセル」ボタンが押下された場合（Ｓ９１で「ＮＧ」）、主制御部４３は、入金された紙幣または硬貨を紙幣入出金部４９または硬貨入出金部５６から返却する。紙幣入出金部４９または硬貨入出金部５６から紙幣または硬貨が抜き出されると、主制御部４３は、図２３に示すように、取引終了画面を表示させる（Ｓ９２）。その後、図４９のＳ５１へ戻る。
【０１０６】
図１４において、「確認」ボタンが押下された場合（Ｓ９１で「ＯＫ」）、主制御部４３は、図５２の処理を行う。すなわち、主制御部４３は、入金された貨幣（紙幣及び／または硬貨）を紙幣収納部５１及び／または硬貨収納部５７に収納し、ＡＴＭの有高を更新する（Ｓ９３）。
【０１０７】
すると、主制御部４３−ホスト間で、決済電文（両替入金）として取引電文ＴＤ１０８，ＴＤ１０９が送受信される（Ｓ９４）。すなわち、ＡＴＭ４１からホストへは、取引電文ＴＤ１０８が送信される。取引電文ＴＤ１０８には、入金金額（金種／枚数）／口座番号／科目の情報が含まれる。ホストからＡＴＭ４１へは、取引電文ＴＤ１０９が送信される。取引電文ＴＤ１０９には、取引完了情報／口座番号／科目／暗証番号の情報が含まれる。
【０１０８】
その後、主制御部４３−ホスト間で、決済電文（両替出金）として取引電文ＴＤ１１０−ＴＤ１１３が送受信される（Ｓ９５）。すなわち、ＡＴＭ４１からホストへは、取引電文ＴＤ１１０が送信される。取引電文ＴＤ１１０には、出金指定金額／口座番号／科目／暗証番号の情報が含まれる。その後、ホストからＡＴＭ４１へは、取引電文ＴＤ１１１が送信される。取引電文ＴＤ１１１には、出金許可金額／口座番号／科目／暗証番号の情報が含まれる。その後、ＡＴＭ４１からホストへは、取引電文ＴＤ１１２が送信される。取引電文ＴＤ１１２には、出金完了金額（金種／枚数）／口座番号／科目／暗証番号の情報が含まれる。さらに、ホストからＡＴＭ４１へは、取引電文ＴＤ１１３が送信される。取引電文ＴＤ１１３には、取引完了情報／口座番号／科目／暗証番号の情報が含まれる。
【０１０９】
その後、主制御部４３は、図２８に示すように、両替貨幣を取り出すように促す画面を表示させると共に、両替された貨幣を出金する（Ｓ９６）。両替された貨幣が紙幣である場合、主制御部４３は、その紙幣を紙幣入出金部４９から出金する。
【０１１０】
または、両替された貨幣が包装硬貨である場合、主制御部４３は、図７の包装硬貨収納トレー管理テーブルから、図２６で入力された内容に対応する有高が格納されたレコードを指定されたセット数分取得し、その取得したレコードの「収納庫Ｎｏ．」または「包装硬貨収納トレーＩＤ」を取得する。主制御部４３は、収納装置１１の主制御部３２に対して、その取得した「収納庫Ｎｏ．」または「包装硬貨収納トレーＩＤ」に対応する包装硬貨収納庫１７ａの電磁ロック２０を解除するように命令する。
【０１１１】
収納装置１１の主制御部３２は、そのロック解除命令に基づいて、開閉制御部７１を制御し、開閉制御部７１は、その送信された「収納庫Ｎｏ．」または「包装硬貨収納トレーＩＤ」で特定される包装硬貨収納庫１７ａの電磁ロック２０を解除する。
【０１１２】
また、同時に、主制御部４３は、ＡＴＭ４１の有高を更新する（Ｓ９６）。
ロックが解除された後、利用者は、収納装置１１の前扉（図２において不図示）を開き、さらに、ロックが解除された包装硬貨収納庫１７ａの扉を開いて、包装硬貨収納トレー１８ａを引き出す。利用者により包装硬貨収納トレー１８ａから包装硬貨が全部取り出されて、空になった包装硬貨収納トレー１８ａが包装硬貨収納庫１７ａに再びセットされる。
【０１１３】
主制御部４３は、図２２に示すように、カード返却を知らせる画面を表示させ、カードを挿入口から排出する（Ｓ９７）。カードが抜き取られると、主制御部４３は、図２３に示すように、取引終了を知らせる画面を表示させる（Ｓ９８）。その後、図４９のＳ５１へ戻る。なお、図５１及び図５２においては、主として包装硬貨の両替について説明したが、集合紙幣の両替についても同様である。
【０１１４】
図４９のＳ５１において、挿入されたカードが売上金入金カードでないと判定された場合（Ｓ５１で「Ｎｏ」）、主制御部４３は、図５３の処理を実行する。
図５３のフローにおいて、主制御部４３は、挿入されたカードが警備カードであるか否かを判定する（Ｓ１０１）。挿入されたカードが警備カードでないと判定された場合（Ｓ１０１で「Ｎｏ」）、主制御部４３は、図２１に示すように、カード異常を知らせる表示画面を表示する。それから、主制御部４３は、図２２に示すように、カード返却画面を表示させ、カードを挿入口から排出する。挿入口からカードが抜き取られると、図４６のＳ１へ戻る。
【０１１５】
Ｓ１０１において、挿入されたカードが警備カードであると判定された場合（Ｓ１０１で「Ｙｅｓ」）、主制御部４３は、図２９に示すように、警備用選択画面を表示させる（Ｓ１０３）。図２９の警備用選択画面には、「カセット装填」、「カセット回収」、「カセット交換」、・・・「終了」等の選択項目がある。
なお、警備画面への遷移は運用センター６からの指示に拠ることもある。
【０１１６】
図２９の警備用選択画面において、「終了」が選択された場合（Ｓ１０４で「Ｎｏ」、Ｓ１０５で「Ｎｏ」、Ｓ１０６で「Ｎｏ」）、主制御部４３は、図２２に示すように、カード返却画面を表示させ、カードを挿入口から排出する（Ｓ１０７）。挿入口からカードが抜き取られると、図４６のＳ１へ戻る。
【０１１７】
図２９の警備用選択画面において、「カセット回収」が選択された場合（Ｓ１０４で「Ｙｅｓ」）、主制御部４３は、図５４及び図５５の処理を実行する。
図５４のフローにおいて、主制御部４３は、紙幣収納部５１を制御して、紙幣スタッカ５２に蓄えられた紙幣を紙幣カセット５３に移動させる。このとき、主制御部４３は、予め格納されているその紙幣カセット５３のカセットＩＤと、移動させた現金有高とを関係付けて、主制御部４３内の記憶装置に記憶する（Ｓ１１１）。
【０１１８】
主制御部４３は、ＡＴＭ内の紙幣カセット５３がフル状態またはニアフル状態か否か、またはＡＴＭ内に現金がない（または所定の金額以下である場合も含む。以下において同様である。）か否かを判定する（Ｓ１１２）。Ｓ１１１においてＡＴＭ内の紙幣カセット５３がフル状態（またはニアフル状態も含む。以下において同様である。）でない場合（Ｓ１１１で「Ｎｏ」）、またはＡＴＭ内に現金がある（または所定の金額より多い場合も含む。以下において同様である。）場合（Ｓ１１１で「Ｎｏ」）、Ｓ１１１の処理へ戻る。
【０１１９】
ＡＴＭ内の紙幣カセット５３がフル状態である場合、またはＡＴＭ内に現金がない場合（Ｓ１１２で「Ｙｅｓ」）、主制御部４３は、図３０の画面を表示させて、ＡＴＭ４１内において回収する紙幣カセット（または紙幣リジェクトカセット）のバーコードをバーコードリーダ３３を用いて読み取るように促す。
【０１２０】
バーコードリーダ３３を用いて、操作者がＡＴＭ４１内において回収する紙幣カセット（または紙幣リジェクトカセット）のバーコードを読み取ると（Ｓ１１３）、主制御部４３は、その読み取ったバーコードから得られるカセットＩＤと、それに対応するＡＴＭ４１内において回収する紙幣カセット（または紙幣リジェクトカセット）の有高を関係付けて、主制御部４３内の記憶装置に記憶する（Ｓ１１４）。
【０１２１】
主制御部４３は、ＡＴＭ内に現金がないか否かを判定する（Ｓ１１５）。Ｓ１１５においてＡＴＭ内に現金がある場合（Ｓ１１５で「Ｎｏ」）、Ｓ１１１の処理へ戻る。
Ｓ１１５においてＡＴＭ内に現金がない場合（Ｓ１１５で「Ｙｅｓ」）、主制御部４３は、図３１の画面を表示させて、収納装置１１の紙幣カセット収納部１２において、回収する紙幣カセット（または紙幣リジェクトカセット）１４のバーコードをバーコードリーダ３３を用いて読み取るように促す。
【０１２２】
バーコードリーダ３３を用いて、操作者が収納装置１１の紙幣カセット収納部１２において回収する紙幣カセット（または紙幣リジェクトカセット）１４のバーコードを読み取ると（Ｓ１１６）、主制御部４３は、その読み取ったバーコードから得られるカセットＩＤと、それに対応する収納装置１１の紙幣カセット収納部１２において回収する紙幣カセット（または紙幣リジェクトカセット）の有高を関係付けて、主制御部４３内の記憶装置に記憶する（Ｓ１１７）。
【０１２３】
主制御部４３は、収納装置１１の紙幣カセット収納部１２に置かれている全ての紙幣カセット（または紙幣リジェクトカセット）１４について処理が完了するまで（Ｓ１１８で「Ｎｏ」）、Ｓ１１６〜Ｓ１１７を繰り返す。収納装置１１の紙幣カセット収納部１２に置かれている全ての紙幣カセット（または紙幣リジェクトカセット）１４についての処理が完了する（Ｓ１１８で「Ｙｅｓ」）と、主制御部４３は、図５５の処理を実行する。
【０１２４】
図５５のフローにおいて、主制御部４３は、図３２の画面を表示させて、収納装置１１の包装硬貨収納庫１７ａにおいて回収する包装硬貨収納トレー１８ａのバーコード１９をバーコードリーダ３３を用いて読み取るように促す。
【０１２５】
バーコードリーダ３３を用いて、操作者が収納装置１１の包装硬貨収納庫１７ａにおいて回収する包装硬貨収納トレー１８ａのバーコード１９を読み取ると（Ｓ１１９）、主制御部４３は、その読み取ったバーコードから得られるトレーＩＤと、それに対応する収納装置１１の包装硬貨収納庫１７ａにおいて回収する包装硬貨収納トレー１８ａの有高を関係付けて、主制御部４３内の記憶装置に記憶する（Ｓ１２０）。このとき、主制御部４３は、図７に示す包装硬貨収納トレー管理テーブルにそのトレーＩＤと包装硬貨収納トレー１８ａ内に収納された包装硬貨の有高を関係付けて格納する。
【０１２６】
主制御部４３は、収納装置１１の包装硬貨収納庫１７ａに置かれている全ての包装硬貨収納トレー１８ａについて処理が完了するまで（Ｓ１２１で「Ｎｏ」）、Ｓ１１９〜Ｓ１２０を繰り返す。収納装置１１の包装硬貨収納庫１７ａに置かれている全ての包装硬貨収納トレー１８ａについての処理が完了する（Ｓ１２１で「Ｙｅｓ」）と、主制御部４３は、上記で記憶したカセットＩＤまたはトレーＩＤと、有高情報とをホストへ送信する（Ｓ１２２）。すなわち、主制御部４３は、全紙幣カセット（ＡＴＭ４１内の紙幣カセットと、収納装置１１の紙幣カセット収納部１２内の紙幣カセット１４）のカセットＩＤと有高をホストに送信する。また、主制御部４３は、全紙幣リジェクトカセット（ＡＴＭ内の紙幣イジェクトカセット５４と、収納装置１１の紙幣カセット収納部１２内の紙幣リジェクトカセット１４ａ）のカセットＩＤと有高をホストに送信する。また、主制御部４３は、収納装置１１の包装現金収納部１６に置かれている包装硬貨収納トレー１８ａのトレーＩＤと有高をホストに送信する。
【０１２７】
このとき、主制御部４３−ホスト間で、取引電文ＴＤ１１４，ＴＤ１１５，ＴＤ１１６が送受信される。すなわち、ＡＴＭ４１からホストへは、取引電文ＴＤ１１４が送信される。取引電文ＴＤ１１４には、カセット回収要求と回収前の情報が含まれている。回収前の情報とは、回収前における、ＡＴＭ４１内の紙幣カセット５３のカセットＩＤと有高、ＡＴＭ４１内の紙幣リジェクトカセット５４のカセットＩＤと有高、ＡＴＭ４１内の紙幣スタッカの有高、収納装置１１の紙幣カセット収納部１２内の紙幣カセット１４のカセットＩＤと有高、収納装置１１の紙幣カセット収納部１２内の紙幣リジェクトカセット１４ａのカセットＩＤと有高、収納装置１１の包装現金収納部１６の包装硬貨収納トレー１８ａのトレーＩＤと有高等が含まれる。ホストからＡＴＭ４１へは、取引電文ＴＤ１１５が送信される。取引電文ＴＤ１１５には、カセット回収を許可する旨の命令が含まれる。すると、ＡＴＭ４１からホストへは、取引電文ＴＤ１１６が送信される。取引電文ＴＤ１１６には、カセット回収完了情報と回収後の情報が含まれている。回収後の情報とは、回収後における、ＡＴＭ４１内の紙幣カセット５３のカセットＩＤと有高、ＡＴＭ４１内の紙幣リジェクトカセット５４のカセットＩＤと有高、ＡＴＭ４１内の紙幣スタッカの有高、収納装置１１の紙幣カセット収納部１２内の紙幣カセット１４のカセットＩＤと有高、収納装置１１の紙幣カセット収納部１２内の紙幣リジェクトカセット１４ａのカセットＩＤと有高、収納装置１１の包装現金収納部１６の包装硬貨収納トレー１８ａのトレーＩＤと有高等が含まれる。
【０１２８】
それから、主制御部４３は、図３３に示すように、ＡＴＭ４１及び／または収納装置１１の紙幣カセット収納部１２内の紙幣カセット（または紙幣リジェクトカセット）を抜き取るよう、または収納装置１１の包装現金収納部１６の包装硬貨収納トレー１８ａを取り出すように促す画面を表示させる（Ｓ１２３）。そこで、操作者は、ＡＴＭ４１内の紙幣カセット５３（または紙幣リジェクトカセット５４）を抜き取ったり、収納装置１１の紙幣カセット収納部１２内の紙幣カセット１４（紙幣リジェクトカセット１４ａ）を抜き取ったり、または収納装置１１の包装現金収納部１６に置かれている包装硬貨収納トレー１８ａを取り出す。これにより、カセット回収処理は終了し、図５３のＳ１０１へ戻る。
【０１２９】
なお、集合紙幣収納トレー１８ｂの回収の場合についても、包装硬貨収納トレー１８ａの回収の場合と同様である。
【０１３０】
図２９の警備用選択画面において、「カセット装填」が選択された場合（Ｓ１０５で「Ｙｅｓ」）、主制御部４３は、図５６のカセット装填処理を実行する。
【０１３１】
図５６のフローにおいて、主制御部４３は、図３４に示すように、画面に「ＡＴＭに装填する紙幣カセット（リジェクトカセット）をセットしてください」を表示させる。操作者は、ＡＴＭに装填する空の紙幣カセットをセットする（Ｓ１３１）。
【０１３２】
主制御部４３は、図３５に示すように、画面に「ＡＴＭにセットした紙幣カセット（リジェクトカセット）のバーコードを読み取ってください」を表示させる。操作者は、バーコードリーダ３３を用いて、Ｓ１３１でセットした空の紙幣カセットに付与されたバーコードを読み取る。主制御部４３は、その読み取ったカセットＩＤに対応する紙幣カセットの有高を「０」として主制御部４３内の記憶部に登録する（Ｓ１３２）。
【０１３３】
また、ＡＴＭに空の紙幣リジェクトカセットをセットすると（Ｓ１３３）、操作者は、バーコードリーダ３３を用いて、そのセットした空の紙幣リジェクトカセットに付与されたバーコードを読み取る。主制御部４３は、その読み取ったカセットＩＤに対応する紙幣リジェクトカセットの有高を「０」として主制御部４３内の記憶部に登録する（Ｓ１３４）。
【０１３４】
次に、主制御部４３は、図３６に示すように、画面に「紙幣カセット収納部に装填する紙幣カセット（リジェクトカセット）をセットしてください」を表示させる。操作者は、紙幣カセット収納部１２に装填する空の紙幣カセットをセットする（Ｓ１３５）。
【０１３５】
主制御部４３は、図３７に示すように、画面に「紙幣カセット収納部にセットした紙幣カセット（リジェクトカセット）のバーコードを読み取ってください」を表示させる。操作者は、バーコードリーダ３３を用いて、Ｓ１３５でセットした空の紙幣カセットに付与されたバーコードを読み取る。主制御部４３は、その読み取ったカセットＩＤに対応する紙幣カセットの有高を「０」として主制御部４３内の記憶部に登録する（Ｓ１３６）。
【０１３６】
また、紙幣カセット収納部１２に空の紙幣リジェクトカセットをセットすると（Ｓ１３７）、操作者は、バーコードリーダ３３を用いて、そのセットした空の紙幣リジェクトカセットに付与されたバーコードを読み取る。主制御部４３は、その読み取ったカセットＩＤに対応する紙幣リジェクトカセットの有高を「０」として主制御部４３内の記憶部に登録する（Ｓ１３８）。
【０１３７】
次に、主制御部４３は、図３８に示すように、画面に「包装現金収納部に包装硬貨収納トレーをセットしてください」を表示させる。操作者は、包装現金収納部１６に包装硬貨収納トレー１８ａをセットする（Ｓ１３９）。
【０１３８】
主制御部４３は、図３９に示すように、画面に「包装現金収納部にセットした包装硬貨収納トレーのバーコードを読み取ってください」を表示させる。操作者は、バーコードリーダ３３を用いて、そのセットされた包装硬貨収納トレー１８ａに付与されたバーコードを読み取る。主制御部４３は、その読み出したバーコード情報から、セットされた包装硬貨収納トレー１８ａのトレーＩＤと、包装硬貨収納トレー１８ａ内に収納された包装硬貨の有高を取得する。主制御部４３は、図７に示すように、そのトレーＩＤと包装硬貨収納トレー１８ａ内に収納された包装硬貨の有高を関係付けて、主制御部４３内の記憶部に登録する（Ｓ１４０）。このとき、主制御部４３は、図７に示す包装硬貨収納トレー管理テーブルにそのトレーＩＤと包装硬貨収納トレー１８ａ内に収納された包装硬貨の有高を関係付けて格納する。
【０１３９】
主制御部４３は、Ｓ１３２，Ｓ１３４，Ｓ１３６，Ｓ１３８で格納した情報を用いて、セットした紙幣カセットまたは紙幣リジェクトカセットのカセットＩＤと、有高をホストへ送信する。また、主制御部４３は、Ｓ１４０で格納した情報を用いて、トレーＩＤと包装硬貨収納トレー１８ａ内に収納された包装硬貨の有高をホストに送信する（Ｓ１４１）。
【０１４０】
このとき、主制御部４３−ホスト間で、取引電文ＴＤ１１７，ＴＤ１１８，ＴＤ１１９が送受信される。すなわち、ＡＴＭ４１からホストへは、取引電文ＴＤ１１７が送信される。取引電文ＴＤ１１４には、カセット装填要求と装填前の情報が含まれている。装填前の情報とは、装填前における、ＡＴＭ４１内の紙幣カセット５３のカセットＩＤと有高、ＡＴＭ４１内の紙幣リジェクトカセット５４のカセットＩＤと有高、ＡＴＭ４１内の紙幣スタッカの有高、収納装置１１の紙幣カセット収納部１２内の紙幣カセット１４のカセットＩＤと有高、収納装置１１の紙幣カセット収納部１２内の紙幣リジェクトカセット１４ａのカセットＩＤと有高、収納装置１１の包装現金収納部１６の包装硬貨収納トレー１８ａのトレーＩＤと有高等が含まれる。ホストからＡＴＭ４１へは、取引電文ＴＤ１１８が送信される。取引電文ＴＤ１１８には、カセット装填を許可する旨の命令が含まれる。すると、ＡＴＭ４１からホストへは、取引電文ＴＤ１１９が送信される。取引電文ＴＤ１１９には、カセット装填完了情報と装填後の情報が含まれている。装填後の情報とは、装填後における、ＡＴＭ４１内の紙幣カセット５３のカセットＩＤと有高、ＡＴＭ４１内の紙幣リジェクトカセット５４のカセットＩＤと有高、ＡＴＭ４１内の紙幣スタッカの有高、収納装置１１の紙幣カセット収納部１２内の紙幣カセット１４のカセットＩＤと有高、収納装置１１の紙幣カセット収納部１２内の紙幣リジェクトカセット１４ａのカセットＩＤと有高、収納装置１１の包装現金収納部１６の包装硬貨収納トレー１８ａのトレーＩＤと有高等が含まれる。
【０１４１】
これにより、カセット装填処理は終了し、図５３のＳ１０１へ戻る。なお、集合紙幣収納トレー１８ｂの装填の場合についても、包装硬貨収納トレー１８ａの装填の場合と同様である。
【０１４２】
図２９の警備用選択画面において、「カセット交換」が選択された場合（Ｓ１０４で「Ｎｏ」、Ｓ１０５で「Ｎｏ」、Ｓ１０６で「Ｙｅｓ」）、主制御部４３は、図５７及び図５８のカセット交換処理を実行する。
【０１４３】
図５７のフローにおいて、主制御部４３は、図３５に示すように、画面に「ＡＴＭにセットした紙幣カセット（リジェクトカセット）のバーコードを読み取ってください」を表示させる。操作者は、バーコードリーダ３３を用いて、ＡＴＭ内にセットされている紙幣カセットに付与されたバーコードを読み取る（Ｓ１５１）。
【０１４４】
主制御部４３は、予め登録されているＡＴＭ内の紙幣カセット（または紙幣リジェクトカセット）のカセットＩＤと、読み取ったカセットＩＤが一致するか否かを判定する（Ｓ１５２）。Ｓ１５２において予め登録されているＡＴＭ内の紙幣カセット（または紙幣リジェクトカセット）のカセットＩＤと、読み取ったカセットＩＤが一致しない場合（Ｓ１５２で「Ｎｏ」）、主制御部４３は、異常処理を行う（Ｓ１５３）。
【０１４５】
Ｓ１５２において予め登録されているＡＴＭ内の紙幣カセット（または紙幣リジェクトカセット）のバーコードと、読み取ったカセットＩＤが一致する場合（Ｓ１５２で「Ｙｅｓ」）、主制御部は、図４０に示すように、画面に「ＡＴＭ内紙幣カセット（リジェクトカセット）を抜き取ってください」を表示させる。その後、ＡＴＭ内の紙幣カセット（リジェクトカセット）が抜き取られる（Ｓ１５４）。
【０１４６】
次に、主制御部４３は、図４１に示すように、画面に「紙幣カセット収納部内  紙幣カセット（リジェクトカセット）のバーコードを読み取ってください」を表示させる。操作者は、バーコードリーダ３３を用いて、ＡＴＭ内にセットされている紙幣カセットに付与されたバーコードを読み取る（Ｓ１５５）。
【０１４７】
主制御部４３は、予め登録されている紙幣カセット収納庫１３内の紙幣カセット（紙幣リジェクトカセット）のカセットＩＤと、読み取ったカセットＩＤが一致するか否かを判定する（Ｓ１５６）。Ｓ１５６において予め登録されている紙幣カセット収納庫１３内の紙幣カセット（紙幣リジェクトカセット）のカセットＩＤと、読み取ったカセットＩＤが一致しない場合（Ｓ１５６で「Ｎｏ」）、主制御部４３は、異常処理を行う（Ｓ１５７）。
【０１４８】
Ｓ１５６において予め登録されている紙幣カセット収納庫１３内の紙幣カセット（紙幣リジェクトカセット）のカセットＩＤと、読み取ったカセットＩＤが一致する場合（Ｓ１５６で「Ｙｅｓ」）、主制御部は、図４２に示すように、画面に「紙幣カセット収納部内  紙幣カセット（リジェクトカセット）を抜き取ってください」を表示させる。その後、紙幣カセット収納部１２内の紙幣カセット（リジェクトカセット）が抜き取られる（Ｓ１５８）。
【０１４９】
次に、主制御部４３は、図４３に示すように、画面に「紙幣カセット収納部から抜き取った紙幣カセット（リジェクトカセット）をＡＴＭにセットしてください」を表示させる。操作者は、紙幣カセット収納部１２から抜き取った紙幣カセット（リジェクトカセット）をＡＴＭにセットする（Ｓ１５９）。
【０１５０】
主制御部４３は、図３５に示すように、画面に「ＡＴＭにセットした紙幣カセット（リジェクトカセット）のバーコードを読み取ってください」を表示させる。操作者は、バーコードリーダ３３を用いて、ＡＴＭにセットした紙幣カセットに付与されたバーコードを読み取る（Ｓ１６０）。
【０１５１】
主制御部４３は、紙幣カセット収納庫１３から抜き取った紙幣カセット（または紙幣リジェクトカセット）のカセットＩＤと、読み取ったカセットＩＤが一致するか否かを判定する（Ｓ１６１）。Ｓ１６１において、紙幣カセット収納庫１３から抜き取った紙幣カセット（または紙幣リジェクトカセット）のカセットＩＤと、読み取ったカセットＩＤが一致しない場合（Ｓ１６１で「Ｎｏ」）、主制御部４３は、異常処理を行う（Ｓ１６２）。
【０１５２】
主制御部４３は、図４４に示すように、画面に「ＡＴＭから抜き取った紙幣カセット（リジェクトカセット）を紙幣カセット収納部にセットしてください」を表示させる。操作者は、ＡＴＭ４１から抜き取った紙幣カセット（または紙幣リジェクトカセット）を紙幣カセット収納部１２にセットする（Ｓ１６３）。
【０１５３】
主制御部４３は、図４５に示すように、画面に「紙幣カセット収納部内  交換した紙幣カセット（リジェクトカセット）のバーコードを読み取ってください」を表示させる。操作者は、バーコードリーダ３３を用いて、ＡＴＭにセットした紙幣カセットに付与されたバーコードを読み取る（Ｓ１６４）。
【０１５４】
主制御部４３は、ＡＴＭから抜き取った紙幣カセット（リジェクトカセット）のカセットＩＤと、読み取ったカセットＩＤが一致するか否かを判定する（Ｓ１６５）。ＡＴＭから抜き取った紙幣カセット（リジェクトカセット）のカセットＩＤと、読み取ったカセットＩＤが一致しない場合（Ｓ１６５で「Ｎｏ」）、主制御部４３は、異常処理を行う（Ｓ１６６）。
【０１５５】
ＡＴＭから抜き取った紙幣カセット（または紙幣リジェクトカセット）のカセットＩＤと、読み取ったカセットＩＤが一致する場合、主制御部４３は、ＡＴＭ内から抜き取った紙幣カセット（または紙幣リジェクトカセット）の有高を紙幣カセット収納部１２にセットした紙幣カセット（または紙幣リジェクトカセット）の有高に移動させると共に、その有高と、そのカセットＩＤとを関係付けて格納する。
【０１５６】
紙幣カセット収納部１２から抜き取ってＡＴＭ内にセットした紙幣カセット（または紙幣リジェクトカセット）の有高を０に更新すると共に、その有高と、そのカセットＩＤを関係付けて格納する。
【０１５７】
主制御部４３は、Ｓ１６７、Ｓ１６８で格納した情報を用いて、交換した紙幣カセットまたは紙幣リジェクトカセットのカセットＩＤと、有高をホストへ送信する（Ｓ１６９）。
【０１５８】
このとき、主制御部４３−ホスト間で、取引電文ＴＤ１２０，ＴＤ１２１，ＴＤ１２２が送受信される。すなわち、ＡＴＭ４１からホストへは、取引電文ＴＤ１２０が送信される。取引電文ＴＤ１２０には、カセット交換要求と交換前の情報が含まれている。交換前の情報とは、交換前における、ＡＴＭ４１内の紙幣カセット５３のカセットＩＤと有高、ＡＴＭ４１内の紙幣リジェクトカセット５４のカセットＩＤと有高、ＡＴＭ４１内の紙幣スタッカの有高、収納装置１１の紙幣カセット収納部１２内の紙幣カセット１４のカセットＩＤと有高、収納装置１１の紙幣カセット収納部１２内の紙幣リジェクトカセット１４ａのカセットＩＤと有高、収納装置１１の包装現金収納部１６の包装硬貨収納トレー１８ａのトレーＩＤと有高等が含まれる。ホストからＡＴＭ４１へは、取引電文ＴＤ１１５が送信される。取引電文ＴＤ１１５には、カセット交換を許可する旨の命令が含まれる。すると、ＡＴＭ４１からホストへは、取引電文ＴＤ１１６が送信される。取引電文ＴＤ１１６には、カセット交換完了情報と交換後の情報が含まれている。交換後の情報とは、交換後における、ＡＴＭ４１内の紙幣カセット５３のカセットＩＤと有高、ＡＴＭ４１内の紙幣リジェクトカセット５４のカセットＩＤと有高、ＡＴＭ４１内の紙幣スタッカの有高、収納装置１１の紙幣カセット収納部１２内の紙幣カセット１４のカセットＩＤと有高、収納装置１１の紙幣カセット収納部１２内の紙幣リジェクトカセット１４ａのカセットＩＤと有高、収納装置１１の包装現金収納部１６の包装硬貨収納トレー１８ａのトレーＩＤと有高等が含まれる。
これにより、カセット交換処理は終了し、図５３のＳ１０１へ戻る。
【０１５９】
なお、ホスト／データセンターへ送信した包装硬貨の有高についての取引電文の履歴を管理して、どの包装硬貨のパターン（包装硬貨収納トレー）がどのくらい利用されているか等を分析することにより、次回セットする包装硬貨収納トレーの種類（パターン）、セット数または有高を調整することができる。
【０１６０】
このように、現金自動預払システムは、自動現金預払機と、収納装置を含む。自動現金支預機は、タッチパネル部、入金部、第１の収納部、第２の収納部、第１の制御部、第１の通信部を含む。タッチパネル部は、操作メニューが表示されると共に、該操作メニューへの操作が入力される。入金部は、現金を入金する。第１の収納部は、紙幣を収納する。第２の収納部は、硬貨を収納する。第１の制御部は、前記タッチパネル部への入力内容に応じた制御を行う。
【０１６１】
収納装置は、第２の通信部、第３の収納部、ロック部、第２の制御部を含む。第２の通信部は、前記第１の通信部と通信を行う。第３の収納部は、包装硬貨または集合紙幣のうち少なくともいずれか一方を収納する。ロック部は、前記第３の収納部をロックする。第２の制御部は、前記操作メニューにおいて両替モードが選択されて前記入金部に紙幣が所定の金額分入金された場合、前記第２の通信部を介して前記第１の制御部からの指示に応じて、前記ロック部を開錠する。
【０１６２】
前記第３の収納部は、複数の収納庫を有する。前記収納庫には、前記包装硬貨または集合紙幣が収納される収納部材が収納される。収納部材の一例としては、包装硬貨収納トレー１８ａ、集合紙幣収納トレー１８ｂがある。
【０１６３】
前記収納部材には、該収納部材を識別する情報である収納部材識別情報と、該収納部材に収納される包装硬貨の有高を示す収納部材有高情報とを含む、読み取り装置による読み取り可能情報が付与されている。
【０１６４】
前記読み取り可能情報は、情報記憶媒体（例えば、一次元もしくは二次元バーコードが付与されたタグ（ラベル）、またはＲＦＩＤ（Ｒａｄｉｏ  Ｆｒｅｑｕｅｎｃｙ  ＩＤｅｎｔｉｆｉｃａｔｉｏｎ）タグ等）に記憶されている。なお、一次元もしくは二次元バーコードは、収納部材に直接印刷されていてもよい。
【０１６５】
前記収納庫には、識別するための収納庫識別情報が付与されている。前記収納装置は、さらに、前記読み取り可能情報を読み取る読み取り装置を含む。前記第１の制御部は、前記読み取り装置により読み取られた、前記収納庫に収納された前記収納部材に付与された前記読み取り可能情報と、該収納庫の収納庫識別情報とが関係付けられた読み取り可能−収納庫識別関係情報を生成する。そして、前記第１の制御部は、前記操作メニューにおいて両替モードが選択された場合、該読み取り可能−収納庫識別関係情報から、前記包装硬貨の有高に応じた選択項目を有する両替画面を生成し、前記タッチパネル部に表示させる。
【０１６６】
前記収納庫には、前記紙幣が収納される紙幣カセットまたはリジェクト紙幣が収納される紙幣リジェクトカセットが収納される。
前記自動現金預払機は、さらに、第３の通信部を含む。第３の通信部は、外部の情報処理装置に、前記収納部材の回収または装填、または前記紙幣カセットもしくは前記紙幣リジェクトカセットの回収、装填、または交換において、前記収納部材または前記紙幣カセットもしくは前記紙幣リジェクトカセットの有高情報を外部の情報処理装置へ送信する。
【０１６７】
前記現金自動預払システムは、さらに、前記外部の情報処理装置を含む。外部の情報処理装置は、前記第３の通信部から受信した前記有高情報に基づいて、警送会社または警備会社に前記収納部材または前記紙幣カセットもしくは前記紙幣リジェクトカセットの回収または交換する旨を通報する。
【０１６８】
本実施形態によれば、現金管理の負担を軽減することができる。すなわち、売上金をＡＴＭに入金することにより、現金の仮負担の軽減と安全性と確保することができる。また、店舗の運営に合わせて自由な時間帯に何度でも売上金の入金をすることができる。
【０１６９】
また、釣り銭確保の負担を軽減することができる。すなわち、ＡＴＭの両替機能により、高額紙幣から小額紙幣への両替をすることができる。また、紙幣から包装硬貨への両替をすることができる。また、必要なときにいつでも両替をすることができる。
【０１７０】
また、ＡＴＭ内の紙幣カセット（リジェクトカセット）がフル状態またはニアフル状態になった場合、警送会社よりもコストの安い警備会社に紙幣カセット（リジェクトカセット）の交換を依頼し、ＡＴＭの警送に併せて、収納装置に収納されたフル状態またはニアフル状態の紙幣カセット（リジェクトカセット）をまとめて回収してもらうことにより、店舗売上金の回収／両替金の配送を低価格で運用することができる。また、このようにＡＴＭ内の紙幣カセット（リジェクトカセット）の交換が可能なため、ＡＴＭへ売上金を大量に入金することができる。
【０１７１】
また、ＡＴＭに入金するので、即座に顧客口座に移動し、運転資金として即活用することができる。すなわち、店舗売上金の早期資金化を図ることができる。また、ＡＴＭにて随時両替ができるため釣銭準備金の圧縮が可能になる。また、売上金入金／釣銭確保で必要としていた作業時間が大幅に短縮でき、工数を削減することができる。また、店舗売上金入金の状況を即時に把握することができるので、本部業務の効率化を図ることができる。また、外部との現金授受が排除できることから店舗運営の標準化を推進することができる。
【０１７２】
ところで、前述の内容は、ＡＴＭ４１と収納装置１１を別体として、記述しているが、これに限らず、一体化した自動現金預払機としても可能である。また、ＡＴＭ４１の機能を収納装置１１に纏めることで、両替専用の収納装置としても取り扱うことが可能である。
【０１７３】
なお、本発明は、以上に述べた実施の形態に限定されるものではなく、本発明の要旨を逸脱しない範囲内で種々の構成または実施形態を取ることができる。
【符号の説明】
【０１７４】
１      集配金システム
２      ＡＴＭシステム
３      データセンター
４      現金警送会社
５      銀行
６      運用センター
１１    収納装置
１２    紙幣カセット収納部
１３    紙幣カセット収納庫
１４    紙幣カセット
１４ａ  紙幣カセット
１４ｂ  紙幣リジェクトカセット
１５    バーコード
１６    包装現金収納部
１７ａ  包装硬貨収納庫
１７ｂ  集合紙幣収納庫
１８ａ  包装硬貨収納トレー
１８ｂ  集合紙幣収納トレー
１９    バーコード
２０    電磁ロック
２１    制御部／電源部
２５ａ  包装硬貨
２５ｂ  集合紙幣
３１    通信制御部
３２    主制御部
３３    バーコードリーダ
３４    電源供給部
４２    通信制御部
４３    主制御部
４４    画面表示部
４５    レシート／通帳印字部
４６    入力部
４７    カードリーダライタ
４８    外部通信制御部
４９    紙幣入出金部
５０    紙幣識別部
５１    紙幣収納部
５２    紙幣スタッカ
５３    紙幣カセット
５４    紙幣リジェクトカセット
５５    硬貨入出金部
５６    硬貨識別部
５７    硬貨収納部
５８    硬貨スタッカ
５９    硬貨カセット
６０    硬貨リジェクトカセット
６１    電源
【図１】
2012168658.tif 000003
【図４】
2012168658.tif 000004
【図５】
2012168658.tif 000005
【図６】
2012168658.tif 000006
【図７】
2012168658.tif 000007
【図８Ａ】
2012168658.tif 000008
【図８Ｂ】
2012168658.tif 000009
【図８Ｃ】
2012168658.tif 000010
【図８Ｄ】
2012168658.tif 000011
【図９】
2012168658.tif 000012
【図１０】
2012168658.tif 000013
【図１１】
2012168658.tif 000014
【図１２】
2012168658.tif 000015
【図１３】
2012168658.tif 000016
【図１４】
2012168658.tif 000017
【図１５】
2012168658.tif 000018
【図１６】
2012168658.tif 000019
【図１７】
2012168658.tif 000020
【図１８】
2012168658.tif 000021
【図１９】
2012168658.tif 000022
【図２０】
2012168658.tif 000023
【図２１】
2012168658.tif 000024
【図２２】
2012168658.tif 000025
【図２３】
2012168658.tif 000026
【図２４】
2012168658.tif 000027
【図２５】
2012168658.tif 000028
【図２６】
2012168658.tif 000029
【図２７】
2012168658.tif 000030
【図２８】
2012168658.tif 000031
【図２９】
2012168658.tif 000032
【図３０】
2012168658.tif 000033
【図３１】
2012168658.tif 000034
【図３２】
2012168658.tif 000035
【図３３】
2012168658.tif 000036
【図３４】
2012168658.tif 000037
【図３５】
2012168658.tif 000038
【図３６】
2012168658.tif 000039
【図３７】
2012168658.tif 000040
【図３８】
2012168658.tif 000041
【図３９】
2012168658.tif 000042
【図４０】
2012168658.tif 000043
【図４１】
2012168658.tif 000044
【図４２】
2012168658.tif 000045
【図４３】
2012168658.tif 000046
【図４４】
2012168658.tif 000047
【図４５】
2012168658.tif 000048
【図４６】
2012168658.tif 000049
【図４７】
2012168658.tif 000050
【図４８】
2012168658.tif 000051
【図４９】
2012168658.tif 000052
【図５０】
2012168658.tif 000053
【図５１】
2012168658.tif 000054
【図５２】
2012168658.tif 000055
【図５３】
2012168658.tif 000056
【図５４】
2012168658.tif 000057
【図５５】
2012168658.tif 000058
【図５６】
2012168658.tif 000059
【図５７】
2012168658.tif 000060
【図５８】
2012168658.tif 000061
【図２】
2012168658.tif 000062
【図３】
2012168658.tif 000063